(57)【要約】  【課題】  転送しない限り、他者保留中回線に対して自装置側で保留応答することができない。  【解決手段】  回線制御装置６が管理する全ての回線情報を記憶する全回線テーブル６１と、自装置が管理する回線情報を記憶する自回線テーブル６２と、保留応答可能な回線情報を記憶する保留応答可テーブル６３とを有し、回線制御装置に収容接続されたＳＤＢ２であって、保留中回線を検出すると、自回線情報判定部７２にて同保留中回線が自回線テーブルに記憶中の回線情報に該当しないと判定され、全回線情報判定部７３にて保留中回線が全回線テーブルに記憶中の回線情報に該当すると判定され、かつ、保留応答可グループ判定部７４にて同保留中回線が保留応答可テーブルに記憶中の回線情報であると判定されると、ボタン割当制御部７５Ａにて同保留中の回線情報を他者保留応答ボタン４０に割り当て、他者保留中回線に対して保留応答可能にした。【選択図】  図５
2006222523.tif 000002
【特許請求の範囲】
【請求項１】
構内交換機が管理する全ての回線情報を記憶する全回線情報記憶手段と、前記全ての回線情報の内、自装置が管理する回線情報を記憶する自回線情報記憶手段とを有し、前記構内交換機に収容接続された通信端末装置であって、
前記構内交換機から保留中の回線情報を検出すると、同保留中の回線情報が前記自回線情報記憶手段に記憶中の回線情報に該当するか否かを判定する自回線情報判定手段と、
この自回線情報判定手段にて同保留中の回線情報が前記自回線情報記憶手段に記憶中の回線情報に該当しないと判定されると、前記保留中の回線情報が前記回線情報記憶手段に記憶中の回線情報に該当するか否かを判定する回線情報判定手段と、
この回線情報判定手段にて前記保留中の回線情報が前記回線情報記憶手段に記憶中の回線情報に該当すると判定されると、同保留中の回線情報を保留応答するための所定個数の保留応答ボタンに割り当てるボタン割当手段とを有することを特徴とする通信端末装置。
【請求項２】
保留表示操作を検出すると、前記所定個数の保留応答ボタンに割り当てられた保留中の回線情報を保留表示として表示手段に表示させる制御手段を有することを特徴とする請求項１記載の通信端末装置。
【請求項３】
前記ボタン割当手段は、
前記保留中の回線情報の検出順序に基づき、同保留中の回線情報を前記所定個数の保留応答ボタンに順次頭詰めで割り当て、
前記制御手段は、
前記検出順序に基づき、前記保留中の回線情報を保留表示として前記表示手段に頭詰めで表示することを特徴とする請求項２記載の通信端末装置。
【請求項４】
前記制御手段は、
前記保留中の回線情報の検出順序に基づき、同保留中の回線情報を前記保留応答ボタンに頭詰めで割り当て、かつ同保留中の回線情報を保留表示として頭詰めで表示中に、前記構内交換機から同保留中の回線情報に関わる保留応答を検出すると、同保留応答の回線情報に関わる前記保留応答ボタンへの割り当てを解除し、現在保留中の回線情報を前記検出順序に基づき頭詰めで前記保留応答ボタンに割当更新すると共に、同保留応答の回線情報に関わる保留表示を消去し、現在保留中の回線情報を前記検出順序に基づき頭詰めで前記保留表示に更新することを特徴とする請求項３記載の通信端末装置。
【請求項５】
前記制御手段は、
前記保留中の回線情報に関わる保留表示を前記表示手段にスクロール可能にしたことを特徴とする請求項２，３又は４記載の通信端末装置。
【発明の詳細な説明】
【技術分野】
【０００１】
本発明は、保留中の回線に対してワンタッチで応答可能な機能を備えた、例えば金融機関や証券機関等の商品取引業務等で使用するディーリング通話装置等の通信端末装置に関する。
【背景技術】
【０００２】
従来、このようなディーリング通話装置としては、複数の回線に接続され、複数の話中状態の回線に関わる回線名称を一括して一つのページ画面に表示することができるページネーション表示機能を備えたものが広く知られている(例えば特許文献１参照)。
【０００３】
また、このようなディーリング通話装置によれば、話中状態の回線だけでなく、自装置以外の他者が保留中の回線、すなわち他者保留中回線に関わる回線名称をページ画面に切替表示する機能を備え、同ページ画面上の保留中の回線に関わる回線名称を指定操作することで、同保留中の回線に応答可能にした機能を備えたものも知られている。
【０００４】
また、ディーリング通話装置を収容するシステム規模が小さく、システム側で収容する回線数が少ない場合には、ページネーション機能を使用しなくても、所定個数のボタン(ハードキー)に対して保留中回線に保留応答するための保留応答ボタンを割り当て、同保留応答ボタンをボタン操作することで、ワンタッチ操作で保留中回線に保留応答することができるハードキータイプのディーリング通話装置も知られている。
【０００５】
このようなハードキータイプのディーリング通話装置によれば、保留中回線を検出すると、同保留中回線を保留応答ボタンに割り当て、この保留応答ボタンをボタン操作することで同保留中の回線にワンタッチ操作で応答することができる。
【特許文献１】特開平１１−１２２３４７号公報（要約書及び図２及び図６参照）
【発明の開示】
【発明が解決しようとする課題】
【０００６】
しかしながら、上記従来の通信端末装置としてのディーリング通話装置によれば、保留中回線を検出すると、同保留中回線を保留応答ボタンに割り当て、この保留応答ボタンをボタン操作することで同保留中回線に対して保留応答することができるようにしたが、同保留中回線は自装置が保留した回線のみを対象としているため、例えばシステム側で管理している回線であるにも関わらず、自装置以外の他の装置で保留した保留中回線、すなわち他者保留中回線に対しては転送されない限り、自装置側で同他者保留中回線に保留応答することができない。
【０００７】
本発明は上記点に鑑みてなされたものであり、その目的とするところは、他者保留中回線を検出したとしても、転送することなく、同他者保留中回線に保留応答することができる通信端末装置を提供することにある。
【課題を解決するための手段】
【０００８】
上記目的を達成するために本発明の通信端末装置は、構内交換機が管理する全ての回線情報を記憶する全回線情報記憶手段と、前記全ての回線情報の内、自装置が管理する回線情報を記憶する自回線情報記憶手段とを有し、前記構内交換機に収容接続された通信端末装置であって、前記構内交換機から保留中の回線情報を検出すると、同保留中の回線情報が前記自回線情報記憶手段に記憶中の回線情報に該当するか否かを判定する自回線情報判定手段と、この自回線情報判定手段にて同保留中の回線情報が前記自回線情報記憶手段に記憶中の回線情報に該当しないと判定されると、前記保留中の回線情報が前記回線情報記憶手段に記憶中の回線情報に該当するか否かを判定する回線情報判定手段と、この回線情報判定手段にて前記保留中の回線情報が前記回線情報記憶手段に記憶中の回線情報に該当すると判定されると、同保留中の回線情報を保留応答するための所定個数の保留応答ボタンに割り当てるボタン割当手段とを有するようにした。
【０００９】
また、本発明の通信端末装置は、保留表示操作を検出すると、前記所定個数の保留応答ボタンに割り当てられた保留中の回線情報を保留表示として表示手段に表示させる制御手段を有するようにした。
【００１０】
本発明の通信端末装置は、前記ボタン割当手段が、前記保留中の回線情報の検出順序に基づき、同保留中の回線情報を前記所定個数の保留応答ボタンに順次頭詰めで割り当て、前記制御手段は、前記検出順序に基づき、前記保留中の回線情報を保留表示として前記表示手段に頭詰めで表示するようにした。
【００１１】
本発明の通信端末装置は、前記制御手段が、前記保留中の回線情報の検出順序に基づき、同保留中の回線情報を前記保留応答ボタンに頭詰めで割り当て、かつ同保留中の回線情報を保留表示として頭詰めで表示中に、前記構内交換機から同保留中の回線情報に関わる保留応答を検出すると、同保留応答の回線情報に関わる前記保留応答ボタンへの割り当てを解除し、現在保留中の回線情報を前記検出順序に基づき頭詰めで前記保留応答ボタンに割当更新すると共に、同保留応答の回線情報に関わる保留表示を消去し、現在保留中の回線情報を前記検出順序に基づき頭詰めで保留表示として更新するようにした。
【００１２】
本発明の通信端末装置は、前記制御手段が、前記保留中の回線情報に関わる保留表示を前記表示手段にスクロール可能にした。
【発明の効果】
【００１３】
上記のように構成された本発明の通信端末装置によれば、構内交換機から保留中の回線情報を検出すると、同保留中の回線情報が自装置管理の自回線に該当するか否かを判定し、同保留中の回線情報が自回線に該当しないと判定されると、同保留中の回線情報が構内交換機管理の回線情報に該当するか否かを判定し、同保留中の回線情報が構内交換機管理の回線情報に該当すると判定されると、自装置以外の他装置が保留した回線、すなわち他者保留中回線であると判断し、この他者保留中回線を保留応答ボタンに割り当てるようにしたので、他者保留中回線を検出したとしても、保留応答ボタンのボタン操作で同他者保留中回線に保留応答することができ、その結果、ユーザ同士の業務の軽減を図ることができる。
【００１４】
本発明の通信端末装置によれば、保留表示操作を検出すると、前記所定個数の保留応答ボタンに割り当てられた保留中の回線情報を保留表示として表示手段に表示させるようにしたので、通信端末装置のユーザは、保留応答ボタンのボタン操作による保留応答前に保留表示を目視することで、他者保留中回線の回線情報、例えば回線名称を認識することができ、その結果、迅速かつ的確な対応を図ることができる。
【００１５】
本発明の通信端末装置によれば、保留中の回線情報の検出順序に基づき、同保留中の回線情報を所定個数の保留応答ボタンに順次頭詰めで割り当て、この保留応答ボタンに対応付けて保留中の回線情報を保留表示として頭詰めで表示するようにしたので、通信端末装置のユーザは、保留応答ボタン毎に保留中回線の回線情報を認識することができる。
【００１６】
本発明の通信端末装置によれば、前記保留中の回線情報の検出順序に基づき、同保留中の回線情報を前記保留応答ボタンに頭詰めで割り当て、かつ同保留中の回線情報を保留表示として頭詰めで表示中に、前記構内交換機から同保留中の回線情報に関わる保留応答を検出すると、同保留応答の回線情報に関わる前記保留応答ボタンへの割り当てを解除し、現在保留中の回線情報を前記検出順序に基づき頭詰めで前記保留応答ボタンに割当更新すると共に、同保留応答の回線情報に関わる保留表示を消去し、現在保留中の回線情報を前記検出順序に基づき頭詰めで保留表示として更新するようにしたので、現在保留中の回線情報を同保留中の回線情報の検出順序に頭詰めで保留応答ボタンを割当更新すると共に、同検出順序に頭詰めで保留表示も更新することで、通信端末装置のユーザは、ボタン操作がしやすくなる。
【００１７】
また、本発明の通信端末装置によれば、保留中の回線情報に関わる保留表示を表示手段にスクロール可能にしたので、通信端末装置のユーザは、表示手段の表示スペースを大きくしなくても、スクロール操作で複数の保留中の回線情報を認識することができる。
【発明を実施するための最良の形態】
【００１８】
以下、図面に基づいて本発明の通信端末装置に関わる実施の形態を示すディーリング通話システムについて説明する。
【００１９】
(実施の形態１)
図１は第１の実施の形態を示すディーリング通話システム内部の概略構成を示すブロック図である。
【００２０】
図１に示すディーリング通話システム１は、複数のディーリング通話装置(以下、単にＳＤＢと称する)２と、システム管理端末装置(以下、単にＳＡＴと称する)３と、局線４及び専用線５と、これらＳＤＢ２、ＳＡＴ３、局線４及び専用線５を収容接続すると共に、このディーリング通信システム１全体を制御する回線制御装置６とを有している。
【００２１】
ＳＡＴ３は、ＳＤＢ２毎に、例えば回線ボタンの登録データ、個別識別情報や使用状況等を管理している。
【００２２】
回線制御装置６は、ＳＤＢ２及びＳＡＴ３との通信インタフェースを司るデジタルライン回路(以下、単にＤＬＩＮと称する)１１と、局線４との通信インタフェースを司る局線トランク１２と、専用線５との通信インタフェースを司る専用線トランク１３と、これらＤＬＩＮ１１、局線トランク１２及び専用線トランク１３を切替接続することでＳＤＢ２、ＳＡＴ３、局線４及び専用線５間の通話路を形成する通話路スイッチ(以下、単にＳＷと称する)１４と、局データや各種プログラム等を記憶した記憶装置(以下、単にＭＭと称する)１５と、この回線制御装置６全体を制御する中央制御装置(以下、単にＣＣと称する)１６とを有している。
【００２３】
図２はＳＤＢ２内部の概略構成を示すブロック図、図３はＳＤＢ２の盤面を示す説明図、図４はＳＤＢ２の盤面上の機能ボタン群を示す説明図である。
【００２４】
図２に示すＳＤＢ２は、通話に使用するハンドセット２１と、盤面に配置された回線ボタン等のボタン操作部２２と、ボタン操作部２２内のボタン毎に配置され、例えば話中や保留中等の回線状態等を報知する発光ダイオード(以下、単にＬＥＤと称する)２３と、後述する保留画面を表示する液晶表示部(以下、単にＬＣＤと称する)２４と、ＤＬＩＮ１１との間で音声データを復号及び符号化する音声コーデック(以下、単にＣＯＤＥＣと称する)２５と、ＤＬＩＮ１１との間でＤチャネルの呼制御メッセージを送受信する呼制御メッセージ送受信バッファ２６と、ボタン操作部２２を監視するキースキャンインタフェース２７と、ＬＥＤ２３を制御するＬＥＤ制御部２８と、ＬＣＤ２４を制御するＬＣＤ画面コントローラ２９と、呼制御プログラムや固定データを記憶した固定記憶装置(以下、単にＲＯＭと称する)３０と、回線名称等を含む回線情報等を記憶する記憶装置(以下、単にＲＡＭと称する)３１と、このＳＤＢ２全体を制御する呼制御プロセッサ(以下、単にＭＰＵと称する)３２と、データ伝送路としてのバス３３とを有している。
【００２５】
ＭＰＵ３２は、呼制御メッセージ送受信バッファ２６経由で回線制御装置６に収容する回線の状態、例えば話中、保留中や保留応答等の回線状態を示すメッセージを受信し、この呼制御メッセージに基づき回線状態を認識するものである。
【００２６】
図３に示すＳＤＢ２の盤面上には、前述した通り、ハンドセット２１、ボタン操作部２２、ＬＥＤ２３及びＬＣＤ２４を備え、ボタン操作部２２は、回線制御装置６が管理する複数の回線の内、ＳＤＢ２自身である自装置が管理する回線を登録した回線ボタンを含む回線ボタン群２２Ａと、例えば音量調整や通話切断等の固定機能ボタンを含む固定機能ボタン群２２Ｂと、ハンズフリーや他者保留応答等の機能ボタンを含む機能ボタン群２２Ｃと、ダイヤル番号を入力する際に使用するダイヤルボタン群２２Ｄとを有している。尚、回線ボタン群２２Ａ、固定機能ボタン群２２Ｂ及び機能ボタン群２２Ｃ内のボタン毎にＬＥＤ２３が配置されているものである。
【００２７】
回線ボタン群２２Ａは、自装置が管理する回線を登録した回線ボタン２２１を有し、同回線ボタン２２１をボタン操作するだけで同回線に対してワンタッチ操作で発着信することができるものである。
【００２８】
機能ボタン群２２Ｃは、図４に示すように、自装置以外の他装置で保留した保留中の回線、すなわち他者保留中回線に保留応答するための４個分の他者保留応答ボタン４０(４０Ａ，４０Ｂ，４０Ｃ，４０Ｄ)と、同保留応答ボタン４０に割り当てられた他者保留中回線の回線名称をＬＣＤ２４にリスト表示する他者保留リスト表示ボタン５０（ＨＯＬＤ  ＬＩＳＴ）とを有している。
【００２９】
図５はＳＤＢ２内の要部であるＭＰＵ３２及びＲＡＭ３１内部の概略構成を示すブロック図である。
【００３０】
図５に示すＲＡＭ３１は、回線制御装置６が管理する全ての回線の回線名称を含む回線情報を記憶管理する全回線テーブル６１と、全ての回線の内、自装置が管理する回線の回線情報を記憶管理する自回線テーブル６２と、全ての回線の内、自装置で保留応答可能とするグループの回線情報を記憶管理する保留応答可テーブル６３と、他者保留中回線の回線情報を記憶する他者保留回線テーブル６４とを有している。
【００３１】
ＭＰＵ３２は、呼制御メッセージ送受信バッファ２６経由で回線制御装置６から保留中回線の回線情報を検出する保留中回線情報検出部７１と、この保留中回線情報検出部７１にて検出した保留中回線の回線情報が自回線テーブル６２に記憶中の回線情報に該当するか否かを判定する自回線情報判定部７２と、同保留中回線の回線情報が全回線テーブル６１に記憶中の回線情報に該当するか否かを判定する全回線情報判定部７３と、同保留中回線の回線情報が保留応答可テーブル６３に記憶中の回線情報に該当するか否かを判定する保留応答可グループ判定部７４と、ＭＰＵ３２全体を制御する制御部７５とを有している。
【００３２】
制御部７５は、自回線情報判定部７２にて保留中回線の回線情報が自回線テーブル６２に記憶中の回線情報に該当しないと判定され、全回線情報判定部７３にて保留中回線の回線情報が全回線テーブル６１に記憶中の回線情報に該当すると判定され、保留応答可グループ判定部７４にて保留中回線の回線情報が保留応答可テーブル６３に記憶中の回線情報に該当すると判定されると、同保留中回線が他者保留中回線であると判断し、同他者保留中回線の回線情報を他者保留回線テーブル６４に記憶するものである。
【００３３】
また、制御部７５は、他者保留回線テーブル６４に記憶中の他者保留中回線の保留応答を可能にすべく、同他者保留中回線を他者保留応答ボタン４０に割り当てるボタン割当制御部７５Ａと、他者保留回線テーブル６４に記憶中の他者保留中回線の回線名称をＬＣＤ２４に保留表示としてリスト表示すると共に、同他者保留応答ボタン４０のＬＥＤ２３を表示制御する表示制御部７５Ｂとを有している。
【００３４】
ボタン割当制御部７５Ａは、図４に示すように他者保留回線テーブル６４に記憶中の他者保留中回線を検出順序に基づき左から右へ頭詰めで他者保留応答ボタン４０に順次割り当て、合計４個までの他者保留中回線を他者保留応答ボタン４０に割り当てるものである。
【００３５】
ボタン割当制御部７５Ａは、例えば“外線１”→“本社”→“ＡＡ銀行”→“内線５７００”の順に他者保留中回線が発生すると、図６に示すように他者保留中回線の回線情報を他者保留回線テーブル６４に順次記憶すると共に、この他者保留回線テーブル６４の記憶内容に基づき、左から１番目の他者保留応答ボタン４０Ａ（ＨＬＤ１）に“外線１”、左から２番目の他者保留応答ボタン４０Ｂ（ＨＬＤ２）に“本社”、左から３番目の他者保留応答ボタン４０Ｃ（ＨＬＤ３）に“ＡＡ銀行”、左から４番目の他者保留応答ボタン４０Ｄ（ＨＬＤ４）に“内線５７００”を割り当てるものである。
【００３６】
また、表示制御部７５Ｂは、他者保留回線テーブル６４の記憶内容に基づき、他者保留応答ボタン４０に割り当てた他者保留中回線に対応付けてＬＣＤ２４に保留中回線の回線名称をリスト表示するものであり、図８に示すように１番目の他者保留応答ボタン４０Ａ（ＨＬＤ１）に対応する１番目の表示欄に“外線１”、２番目の他者保留応答ボタン４０Ｂ（ＨＬＤ２）に対応する２番目の表示欄に“本社”、３番目の他者保留応答ボタン４０Ｃ（ＨＬＤ３）に対応する３番目の表示欄に“ＡＡ銀行”、４番目の他者保留応答ボタン４０Ｄ（ＨＬＤ４）に対応する４番目の表示欄に“内線５７００”を保留表示としてリスト表示することになる。
【００３７】
また、ボタン割当制御部７５Ａは、他者保留応答ボタン４０にて他者保留中回線、例えば“本社”に対する保留応答を検出すると、図６に示すように他者保留中回線の回線情報“本社”を他者保留回線テーブル６４から削除し、“ＡＡ銀行”及び“内線５７００”を頭詰めで繰り上げて他者保留回線テーブル６４に記憶更新すると共に、この他者保留回線テーブル６４の記憶内容に基づき、保留応答の回線“本社”の他者保留応答ボタン４０の割当を解除し、１番目の他者保留応答ボタン４０Ａ（ＨＬＤ１）に“外線１”、左から２番目の他者保留応答ボタン４０Ｂ（ＨＬＤ２）に“ＡＡ銀行”、左から３番目の他者保留応答ボタン４０Ｃ（ＨＬＤ３）に“内線５７００”を頭詰めで割り当てるものである。
【００３８】
表示制御部７５Ｂは、同様に、他者保留回線テーブル６４の記憶内容に基づき、１番目の他者保留応答ボタン４０Ａ（ＨＬＤ１）に対応する１番目の表示欄に“外線１”、２番目の他者保留応答ボタン４０Ｂ（ＨＬＤ２）に対応する２番目の表示欄に“ＡＡ銀行”、３番目の他者保留応答ボタン４０Ｃ（ＨＬＤ３）に対応する３番目の表示欄に“内線５７００”を保留表示としてリスト表示することになる。
【００３９】
尚、請求項記載の通信端末装置はＳＤＢ２、構内交換機は回線制御装置６、全回線情報記憶手段は全回線テーブル６１、自回線情報記憶手段は自回線テーブル６２、自回線情報判定手段は自回線情報判定部７２、回線情報判定手段は全回線情報判定部７３、保留応答ボタンは他者保留応答ボタン４０、ボタン割当手段は制御部７５及びボタン割当制御部７５Ａ、制御手段は制御部７５及び表示制御部７５Ｂ、表示手段はＬＣＤ２４に相当するものである。
【００４０】
次に第１の実施の形態を示すディーリング通話システム１の動作について説明する。図７は第１の実施の形態の保留応答処理に関わるＳＤＢ２のＭＰＵ３２内部の処理動作を示すフローチャートである。
【００４１】
図７に示す保留応答処理は、自装置以外の他装置で保留した他者保留中回線を自装置の他者保留応答ボタン４０に割り当て、同他者保留応答ボタン４０のボタン操作で他者保留中回線を自装置側で保留応答する処理である。
【００４２】
図７においてＭＰＵ３２は、保留中回線情報検出部７１を通じて回線制御装置６からの保留中回線を検出したか否かを判定する(ステップＳ１１)。
【００４３】
ＭＰＵ３２は、保留中回線を検出すると、自回線情報判定部７２にて同保留中回線の回線情報が自回線テーブル６２に記憶中の回線情報に該当するか否かを判定する(ステップＳ１２)。
【００４４】
ＭＰＵ３２は、自回線情報判定部７２にて同保留中回線の回線情報が自回線テーブル６２に記憶中の回線情報に該当しないと判定されると、全回線情報判定部７３にて同保留中回線の回線情報が全回線テーブル６１に記憶中の回線情報に該当するか否かを判定する(ステップＳ１３)。
【００４５】
ＭＰＵ３２は、全回線情報判定部７３にて同保留中回線の回線情報が全回線テーブル６１に記憶中の回線情報に該当すると判定されると、同保留中回線が他者保留中回線であると判断し、保留応答可グループ判定部７４にて同保留中回線の回線情報が保留応答可テーブル６３に記憶中の回線情報に該当するか否かを判定する(ステップＳ１４)。
【００４６】
ＭＰＵ３２は、保留応答可グループ判定部７４にて同保留中回線の回線情報が保留応答可テーブル６３に記憶中の回線情報に該当すると判定されると、現在保留中回線は保留応答可能な他者保留中回線であると判断し、現在保留中回線は４回線未満であるか否かを判定する(ステップＳ１５)。尚、ＭＰＵ３２は、他者保留回線テーブル６４の記憶内容に基づき、現在保留中回線が４回線未満であるか否かを判定するものである。また、４回線未満としたのは、他者保留応答ボタン４０に割り当てることができる回線を４回線以内としているためである。
【００４７】
ＭＰＵ３２は、現在保留中回線が４回線未満であると判定されると、ボタン割当制御部７５Ａにて同他者保留中回線の回線情報を他者保留回線テーブル６４に順次記憶し、この他者保留回線テーブル６４に記憶中の他者保留中回線を他者保留応答ボタン４０に頭詰めで割り当てる(ステップＳ１６)。
【００４８】
ＭＰＵ３２は、同保留中回線を他者保留応答ボタン４０に割り当てると、表示制御部７５Ｂを通じて同保留中回線に割り当てた他者保留応答ボタン４０のＬＥＤ２３及び他者保留リスト表示ボタン５０のＬＥＤ２３を点滅させるべく(図８に示すステップＳ１０１参照)、ＬＥＤ制御部２８を制御する(ステップＳ１７)。
【００４９】
次にＭＰＵ３２は、他者保留応答ボタン４０のボタン操作を検出したか否かを判定する(ステップＳ１８)。尚、他者保留応答ボタン４０のボタン操作は、空きの他者保留応答ボタン４０ではなく、他者保留中回線に割り当てた他者保留応答ボタン４０のボタン操作に相当するものである。
【００５０】
ＭＰＵ３２は、他者保留応答ボタン４０のボタン操作を検出したと判定されると(図８に示すステップＳ１０５参照)、同他者保留応答ボタン４０のＬＥＤ２３を消灯すべく、ＬＥＤ制御部２８を制御すると共に、同ボタン操作の他者保留応答ボタン４０に割り当てられた他者保留中回線の回線名称をＬＣＤ２４に表示させるべく(図８に示すステップＳ１０７参照)、ＬＣＤ画面コントローラ２９を制御する(ステップＳ１９)。
【００５１】
ＭＰＵ３２は、ボタン操作を検出した他者保留応答ボタン４０に割り当てた他者保留中回線に保留応答すべく(図８に示すステップＳ１０６参照)、回線制御装置６に通知する(ステップＳ２０)。尚、回線制御装置６では、ＭＰＵ３２の保留応答通知に基づき、同ＭＰＵ３２のＳＤＢ２と他者保留中回線とを切替接続することで、同他者保留中回線の保留応答を検出することになる。
【００５２】
ＭＰＵ３２は、回線制御装置６経由で同保留中回線の保留応答を検出すると、同保留応答の回線に関わる頭詰め処理を実行することで(ステップＳ２０Ａ)、この保留応答処理の処理動作を終了する。
【００５３】
尚、ＭＰＵ３２では、他者保留回線テーブル６４に記憶中の他者保留中回線の保留応答を検出すると、他者保留回線テーブル６４から同保留応答の他者保留中回線の回線情報を削除することで他者保留回線テーブル６４内に空き領域が生じるため、その結果、他者保留応答ボタン４０にも空きが生じることになる。そこで、頭詰め処理では、他者保留回線テーブル６４内の空き領域を頭詰めで順次埋めて記憶更新することで、同他者保留回線テーブル６４の記憶内容に基づき他者保留応答ボタン４０に再度ボタン割当を実行することで、１番目の他者保留応答ボタン４０Ａから頭詰めで他者保留中回線を割り当てるものである。
【００５４】
また、ＭＰＵ３２は、ステップＳ１８にて他者保留応答ボタン４０のボタン操作を検出したのでないと判定されると、他者保留リスト表示ボタン５０のボタン操作を検出したか否かを判定する(ステップＳ２１)。
【００５５】
ＭＰＵ３２は、他者保留リスト表示ボタン５０のボタン操作を検出したと判定されると(図８に示すステップＳ１０２参照)、他者保留回線テーブル６４に記憶中の他者保留応答ボタン４０に割り当てた他者保留中回線の回線名称を保留表示としてＬＣＤ２４にリスト表示すべく(図８に示すステップＳ１０４参照)、ＬＣＤ画面コントローラ２９を制御し(ステップＳ２２)、他者保留リスト表示ボタン５０のＬＥＤ２３を点灯すべく(図８に示すステップＳ１０３参照)、ＬＥＤ制御部２８を制御し(ステップＳ２３)、再び他者保留応答ボタン４０のボタン操作を監視すべく、ステップＳ１８に移行する。
【００５６】
また、ＭＰＵ３２は、ステップＳ２１にて他者保留リスト表示ボタン５０のボタン操作を検出したのでなければ、他者保留応答ボタン４０のボタン操作を監視すべく、ステップＳ１８に移行する。
【００５７】
また、ＭＰＵ３２は、ステップＳ１１にて保留中回線の回線情報を検出したのでなければ、又はステップＳ１３にて保留中回線の回線情報が全回線テーブル６１に記憶中の回線情報に該当しないと判定されると、又はステップＳ１４にて保留中回線の回線情報が保留応答可テーブル６３に記憶中の回線情報に該当しないと判定されると、又はステップＳ１５にて他者保留中回線が４回線未満でないと判定されると、この保留応答処理の処理動作を終了する。
【００５８】
また、ＭＰＵ３２は、ステップＳ１２にて保留中回線の回線情報が自回線テーブル６２に記憶中の回線情報に該当すると判定されると、保留中回線に該当する回線ボタン２２１のＬＥＤ２３を点滅すべく、ＬＥＤ制御部２８を制御する(ステップＳ２４)。
【００５９】
ＭＰＵ３２は、同保留中回線に該当する回線ボタン２２１のボタン操作を検出したか否かを判定する(ステップＳ２５)。
【００６０】
ＭＰＵ３２は、同保留中回線に該当する回線ボタン２２１のボタン操作を検出したのであれば、同回線ボタン２２１のＬＥＤ２３を点灯すべく、ＬＥＤ制御部２８を制御し(ステップＳ２６)、同回線ボタン２２１の保留中回線に保留応答すべく、回線制御装置６に通知することで(ステップＳ２７)、この保留応答処理の処理動作を終了する。
【００６１】
また、ＭＰＵ３２は、ステップＳ２５にて同保留中回線に該当する回線ボタン２２１のボタン操作を検出したのでなければ、この保留応答処理の処理動作を終了する。尚、同保留応答処理の処理動作が終了したとしても、同保留中回線に該当する回線ボタン２２１のボタン操作を検出した場合は同保留中回線に保留応答できるものである。
【００６２】
図７に示す保留応答処理によれば、他者保留中の回線を検出したとしても、同他者保留中回線の回線情報が保留応答可テーブル６３に記憶中の回線情報に該当する場合は、保留応答可の他者保留中回線であると判断し、同他者保留中回線の回線情報を他者保留回線テーブル６４に記憶し、この他者保留回線テーブル６４の記憶内容に基づき、同他者保留中の回線を保留応答すべく、他者保留応答ボタン４０に割り当てるようにしたので、ＳＤＢ２のユーザは、他者保留中回線であっても、同他者保留応答ボタン４０のボタン操作で同他者保留応答ボタン４０に割り当てた他者保留中回線に対して保留応答することができる。
【００６３】
また、図７に示す保留応答処理によれば、他者保留リスト表示ボタン５０のボタン操作を検出すると、他者保留回線テーブル６４の記憶内容に基づき、同他者保留応答ボタン４０に割り当てられた他者保留中の回線名称を保留表示としてＬＣＤ２４にリスト表示するようにしたので、ＳＤＢ２のユーザは、ＬＣＤ２４にリスト表示中の回線名称を視認することで、保留応答前に他者保留中回線の回線名称を認識することができる。
【００６４】
図７に示す保留応答処理によれば、他者保留中回線に対する保留応答を検出すると、他者保留回線テーブル６４から同保留応答の他者保留中回線の回線情報を削除することで空き領域が発生するが、この空き領域を頭詰めで、現在の他者保留中回線の回線情報を順次埋めて記憶更新し、同他者保留回線テーブル６４の記憶内容に基づき他者保留応答ボタン４０に再度ボタン割当を実行することで、１番目の他者保留応答ボタン４０Ａから頭詰めで他者保留中回線を割り当てるようにしたので、ＳＤＢ２のユーザは、１番目の他者保留応答ボタン４０Ａから４番目の他者保留応答ボタン４０Ｄまでの間で虫食いのようなボタン割当欠落が生じることがないため、他者保留応答ボタン４０の操作性が良好となる。
【００６５】
また、保留応答処理によれば、他者保留中回線に対する保留応答を検出すると、他者保留回線テーブル６４内から同保留応答の他者保留中回線の回線情報を削除することで空き領域が発生するが、この空き領域を頭詰めで現在の他者保留中回線の回線情報を順次生めて記憶更新し、同他者保留回線テーブル６４の記憶内容に基づき保留表示をＬＣＤ２４にリスト表示するようにしたので、ＳＤＢ２のユーザは、ＬＣＤ２４のリスト表示に虫食いのような表示欠落が生じることがないため、他者保留応答ボタン４０に割り当てた他者保留中回線の回線名称の視認性を確保することができる。
【００６６】
第１の実施の形態によれば、保留応答可の他者保留中回線を検出すると、同他者保留中回線の回線情報を他者保留回線テーブル６４に記憶し、この他者保留回線テーブル６４の記憶内容に基づき、同他者保留中の回線を保留応答すべく、他者保留応答ボタン４０に割り当てるようにしたので、ＳＤＢ２のユーザは、他者保留中回線であっても、同他者保留応答ボタン４０のボタン操作で同他者保留応答ボタン４０に割り当てた他者保留中回線に対して保留応答することができる。
【００６７】
また、第１の実施の形態によれば、他者保留リスト表示ボタン５０のボタン操作を検出すると、他者保留回線テーブル６４の記憶内容に基づき、同他者保留応答ボタン４０に割り当てられた他者保留中の回線名称を保留表示としてＬＣＤ２４にリスト表示するようにしたので、ＳＤＢ２のユーザは、ＬＣＤ２４にリスト表示中の回線名称を視認することで、保留応答前に他者保留中回線の回線名称を認識することができる。
【００６８】
尚、上記第１の実施の形態においては、他者保留応答ボタン４０を４個しか設けていないため、最大４回線までの他者保留中回線を他者保留応答ボタン４０に割り当てることしかできないが、他者保留応答ボタン４０のボタン個数を増やせば、最大５個以上の他者保留中の回線に対しても保留応答が可能になることは言うまでもない。
【００６９】
また、他者保留応答ボタン４０のボタン個数を増やさなくても、最大５個以上の他者保留中回線に対して保留応答することもできるＳＤＢ２につき、第２の実施の形態として次に説明する。
【００７０】
(実施の形態２)
尚、第１の実施の形態を示すディーリング通話システム１と同一のものには同一符号を付すことで、その重複する構成及び動作の説明については省略する。図９は第２の実施の形態に関わるＳＤＢ２のＲＡＭ３１内部の他者保留回線テーブル６４の記憶内容を端的に示す説明図である。
【００７１】
第２の実施の形態に関わるＳＤＢ２のＭＰＵ３２内部のボタン割当制御部７５Ａは、保留応答可グループ判定部７４にて他者保留中回線の回線情報が保留応答可テーブル６３に記憶中の回線情報に該当すると判定されると、保留応答可の他者保留中回線であると判断し、この他者保留中回線の回線情報を他者保留回線テーブル６４に順次記憶し、最大４個までの他者保留中回線を他者保留応答ボタン４０に順次割り当てることになる。
【００７２】
さらにボタン割当制御部７５Ａは、他者保留回線テーブル６４に４個の他者保留中回線を記憶中に、更なる保留応答可の他者保留中回線を検出すると、例えば“外線１”→“本社”→“ＡＡ銀行”→“内線５７００”→“ＢＢ銀行”→“ＡＢＣ銀行”の順に他者保留中回線が発生すると、図９に示すように他者保留中回線の回線情報を他者保留回線テーブル６４に順次記憶すると共に、この他者保留回線テーブル６４の記憶内容に基づき、左から１番目の他者保留応答ボタン４０Ａ（ＨＬＤ１）に“外線１”、左から２番目の他者保留応答ボタン４０Ｂ（ＨＬＤ２）に“本社”、左から３番目の他者保留応答ボタン４０Ｃ（ＨＬＤ３）に“ＡＡ銀行”、左から４番目の他者保留応答ボタン４０Ｄ（ＨＬＤ４）に“内線５７００”を割り当てるものである。
【００７３】
また、表示制御部７５Ｂは、他者保留回線テーブル６４の記憶内容に基づき、他者保留応答ボタン４０に割り当てた保留中回線に対応付けてＬＣＤ２４に他者保留中回線の回線名称を保留表示としてリスト表示するものであり、１番目の他者保留応答ボタン４０Ａに対応する１番目の表示欄に“外線１”、２番目の他者保留応答ボタン４０Ｂに対応する２番目の表示欄に“本社”、３番目の他者保留応答ボタン４０Ｃに対応する３番目の表示欄に“ＡＡ銀行”、４番目の他者保留応答ボタン４０Ｄに対応する４番目の表示欄に“内線５７００”をリスト表示することになる。
【００７４】
また、ボタン割当制御部７５Ａは、図示せぬスクロールボタンのボタン操作を検出すると、他者保留回線テーブル６４の記憶内容に基づき、次の他者保留中回線である“ＢＢ銀行”及び“ＡＢＣ証券”として、左から１番目の他者保留応答ボタン４０Ａ（ＨＬＤ１）に“ＢＢ銀行”、左から２番目の他者保留応答ボタン４０Ｂ（ＨＬＤ２）に“ＡＢＣ証券”を割り当てるものである。
【００７５】
この際、表示制御部７５Ｂは、１番目の他者保留応答ボタン４０Ａに対応する１番目の表示欄に“ＢＢ銀行”、２番目の他者保留応答ボタン４０Ｂに対応する２番目の表示欄に“ＡＢＣ証券”を保留表示としてＬＣＤ２４にリスト表示することになる。
【００７６】
また、ボタン割当制御部７５Ａは、例えば他者保留応答ボタン４０Ｄにて他者保留中回線“内線５７００”に対する保留応答を検出すると、図９に示すように他者保留中回線の回線情報“内線５７００”を他者保留回線テーブル６４から削除し、その後の“ＢＢ銀行”及び“ＡＢＣ証券”を頭詰めで繰り上げて他者保留回線テーブル６４に記憶更新すると共に、この他者保留回線テーブル６４の記憶内容に基づき、保留応答の回線“内線５７００”の他者保留応答ボタン４０Ｄの割当を解除し、１番目の他者保留応答ボタン４０Ａに外線１”、左から２番目の他者保留応答ボタン４０Ｂに“本社”、左から３番目の他者保留応答ボタン４０Ｃに“ＡＡ銀行”、左から４番目の他者保留応答ボタン４０Ｄに“ＢＢ銀行”を頭詰めで割り当てるものである。
【００７７】
次に第２の実施の形態を示すディーリング通話システム１の動作について説明する。図１０は第２の実施の形態の保留応答処理に関わるＳＤＢ２内部のＭＰＵ３２の処理動作を示すフローチャートである。
【００７８】
図１０に示す保留応答処理は、他者保留中回線が５個以上発生したとしても、各他者保留中回線に対して順次保留応答することができる処理である。
【００７９】
図１０においてＭＰＵ３２は、保留中回線情報検出部７１を通じて回線制御装置６からの保留中回線を検出したか否かを判定する(ステップＳ３１)。
【００８０】
ＭＰＵ３２は、保留中回線を検出すると、自回線情報判定部７２にて同保留中回線の回線情報が自回線テーブル６２に記憶中の回線情報に該当するか否かを判定する(ステップＳ３２)。
【００８１】
ＭＰＵ３２は、自回線情報判定部７２にて同保留中回線の回線情報が自回線テーブル６２に記憶中の回線情報に該当しないと判定されると、全回線情報判定部７３にて同保留中回線の回線情報が全回線テーブル６１に記憶中の回線情報に該当するか否かを判定する(ステップＳ３３)。
【００８２】
ＭＰＵ３２は、全回線情報判定部７３にて同保留中回線の回線情報が全回線テーブル６１に記憶中の回線情報に該当すると判定されると、同保留中回線が他者保留中回線であると判断し、保留応答可グループ判定部７４にて同保留中回線の回線情報が保留応答可テーブル６３に記憶中の回線情報に該当するか否かを判定する(ステップＳ３４)。
【００８３】
ＭＰＵ３２は、保留応答可グループ判定部７４にて同保留中回線の回線情報が保留応答可テーブル６３に記憶中の回線情報に該当すると判定されると、保留応答可能な他者保留中回線であると判断し、ボタン割当制御部７５Ａにて同他者保留中回線の回線情報を他者保留回線テーブル６４に順次記憶し、ＬＣＤ２４に表示する保留画面数を算出する(ステップＳ３５)。尚、保留画面数は、ＬＣＤ２４に表示できる保留表示が１つの保留画面につき、４個の他者保留中回線の回線名称であることから、他者保留回線テーブル６４に記憶中の他者保留中回線数を４で除算し、この除算結果に基づき算出できるものである。
【００８４】
ＭＰＵ３２は、保留画面数を算出すると、ボタン割当制御部７５Ａにて他者保留回線テーブル６４の記憶内容に基づき他者保留中回線を他者保留応答ボタン４０に頭詰めで割り当てる(ステップＳ３６)。
【００８５】
ＭＰＵ３２は、同他者保留中回線を他者保留応答ボタン４０に割り当てると、表示制御部７５Ｂを通じて同保留中回線に割り当てた他者保留応答ボタン４０のＬＥＤ２３及び他者保留リスト表示ボタン５０のＬＥＤ２３を点滅させるべく、ＬＥＤ制御部２８を制御する(ステップＳ３７)。
【００８６】
ＭＰＵ３２は、他者保留応答ボタン４０のボタン操作を検出したか否かを判定する(ステップＳ３８)。尚、他者保留応答ボタン４０のボタン操作は、他者保留中回線に割り当てた他者保留応答ボタン４０のボタン操作に相当するものである。
【００８７】
ＭＰＵ３２は、他者保留応答ボタン４０のボタン操作を検出したと判定されると、同他者保留応答ボタン４０のＬＥＤ２３を消灯すべく、ＬＥＤ制御部２８を制御すると共に、同ボタン操作の他者保留応答ボタン４０に割り当てられた他者保留中回線の回線名称をＬＣＤ２４に表示させるべく、ＬＣＤ画面コントローラ２９を制御する(ステップＳ３９)。
【００８８】
ＭＰＵ３２は、ボタン操作を検出した他者保留応答ボタン４０に割り当てた他者保留中回線に保留応答すべく、回線制御装置６に通知する(ステップＳ４０)。さらに、ＭＰＵ３２は、回線制御装置６経由で同保留中回線の保留応答を検出すると、同保留応答の回線に関わる、前述した頭詰め処理を実行することで(ステップＳ４０Ａ)、この保留応答処理の処理動作を終了する。
【００８９】
また、ＭＰＵ３２は、ステップＳ３８にて他者保留応答ボタン４０のボタン操作を検出したのでないと判定されると、他者保留リスト表示ボタン５０のボタン操作を検出したか否かを判定する(ステップＳ４１)。
【００９０】
ＭＰＵ３２は、他者保留リスト表示ボタン５０のボタン操作を検出したと判定されると、ステップＳ３５にて算出した保留画面数が１枚以内であるか否かを判定する(ステップＳ４２)。
【００９１】
ＭＰＵ３２は、保留画面数が１枚以内であると判定されると、他者保留回線テーブル６４に記憶中の他者保留中回線の回線名称を保留表示としてＬＣＤ２４にリスト表示すべく、ＬＣＤ画面コントローラ２９を制御し(ステップＳ４３)、他者保留応答ボタン４０のボタン操作を監視すべく、ステップＳ３８に移行する。
【００９２】
また、ＭＰＵ３２は、ステップＳ４２にて保留画面数が１枚以内でないと判定されると、保留画面数が複数枚あるものと判断し、他者保留回線テーブル６４に記憶中の最新の他者保留中回線の回線名称を含む保留画面をＬＣＤ２４にリスト表示すべく、ＬＣＤ画面コントローラ２９を制御する(ステップＳ４４)。
【００９３】
ＭＰＵ３２は、保留画面をＬＣＤ２４にリスト表示すると、他者保留回線テーブル６４の記憶内容に基づき、同保留画面上の他者保留中回線に対応付けて他者保留応答ボタン４０に割り当てる(ステップＳ４５)。
【００９４】
ＭＰＵ３２は、スクロールボタンのボタン操作を検出したか否かを判定する(ステップＳ４６)。
【００９５】
ＭＰＵ３２は、スクロールボタンのボタン操作を検出したのであれば、他者保留回線テーブル６４に記憶中の現在表示中の保留画面から次の保留画面をＬＣＤ２４に切替表示すべく、ＬＣＤ画面コントローラ２９を制御する(ステップＳ４７)。尚、次の保留画面とは、例えば保留画面が３枚とし、２枚目の保留画面を現在表示中の画面とした場合、次の保留画面は３枚目の保留画面に相当し、また、３枚目の保留画面が現在表示中の画面とした場合には次の保留画面は最初の１枚目の保留画面に相当するものである。
【００９６】
ＭＰＵ３２は、ステップＳ４７にて次の保留画面をＬＣＤ２４に切替表示すると、他者保留回線テーブル６４の記憶内容に基づき、同保留画面上の他者保留中回線に対応付けて他者保留応答ボタン４０に割り当て(ステップＳ４８)、他者保留応答ボタン４０のボタン操作を監視すべく、ステップＳ３８に移行する。
【００９７】
また、ＭＰＵ３２は、ステップＳ３１にて保留中回線の回線情報を検出したのでなければ、又はステップＳ３３にて保留中回線の回線情報が全回線テーブル６１に記憶中の回線情報に該当しないと判定されると、又はステップＳ３４にて保留中回線の回線情報が保留応答可テーブル６３に記憶中の回線情報に該当しないと判定されると、この保留応答処理の処理動作を終了する。
【００９８】
また、ＭＰＵ３２は、ステップＳ３２にて保留中回線の回線情報が自回線テーブル６２に記憶中の回線情報に該当すると判定されると、保留中回線に該当する回線ボタン２２１のＬＥＤ２３を点滅すべく、ＬＥＤ制御部２８を制御する(ステップＳ４９)。
【００９９】
ＭＰＵ３２は、同保留中回線に該当する回線ボタン２２１のボタン操作を検出したか否かを判定する(ステップＳ５０)。
【０１００】
ＭＰＵ３２は、同保留中回線に該当する回線ボタン２２１のボタン操作を検出したのであれば、同回線ボタン２２１のＬＥＤ２３を点灯すべく、ＬＥＤ制御部２８を制御し(ステップＳ５１)、同回線ボタン２２１の保留中回線に保留応答すべく、回線制御装置６に通知することで(ステップＳ５２)、この保留応答処理の処理動作を終了する。
【０１０１】
ＭＰＵ３２は、ステップＳ５０にて同保留中回線に該当する回線ボタン２２１のボタン操作を検出したのでなければ、この保留応答処理の処理動作を終了する。また、ＭＰＵ３２は、ステップＳ４１にて他者保留リスト表示ボタン５０のボタン操作を検出したのでなければ、スクロールボタンのボタン操作を監視すべく、ステップＳ４６に移行する。また、ＭＰＵ３２は、ステップＳ４６にてスクロールボタンのボタン操作を検出したのでなければ、他者保留応答ボタン４０のボタン操作を監視すべく、ステップＳ３８に移行する。
【０１０２】
図１０に示す保留応答処理によれば、他者保留中回線が５個以上発生したとしても、同他者保留中回線の回線情報を他者保留回線テーブル６４に順次記憶し、他者保留リスト表示ボタン５０及びスクロールボタンを使用することで、この他者保留回線テーブル６４に記憶中の他者保留中回線の回線名称を含む保留画面を順次ＬＣＤ２４にリスト表示するようにしたので、ＳＤＢ２のユーザは、他者保留中回線が５個以上発生したとしても、ＬＣＤ２４にリスト表示中の保留画面を順次スクロールすることで、保留応答前に全ての他者保留中回線の回線名称を認識することができる。
【０１０３】
また、保留応答処理によれば、他者保留回線テーブル６４の記憶内容に基づき、ＬＣＤ２４にリスト表示中の保留画面に対応付けて他者保留応答ボタン４０に他者保留中回線を順次割り当てるようにしたので、他者保留中回線が５個以上になったとしても、各他者保留中回線に保留応答することができる。
【０１０４】
また、保留応答処理によれば、他者保留回線テーブル６４に記憶中の他者保留中回線に対する保留応答を検出すると、他者保留回線テーブル６４から同保留応答の他者保留中回線の回線情報を削除することで空き領域が発生するが、この空き領域を頭詰めで、現在の他者保留中回線の回線情報を順次埋めて記憶更新し、同他者保留回線テーブル６４の記憶内容に基づき他者保留応答ボタン４０に再度ボタン割当を実行することで、１番目の他者保留応答ボタン４０Ａから頭詰めで他者保留中回線を割り当てるようにしたので、ＳＤＢ２のユーザは、他者保留応答ボタン４０で虫食いのようなボタン割当欠落が生じることがないため、他者保留応答ボタン４０の操作性が良好となる。
【０１０５】
また、保留応答処理によれば、他者保留中回線に対する保留応答を検出すると、他者保留回線テーブル６４内から同保留応答の他者保留中回線の回線情報を削除することで空き領域が発生するが、この空き領域を頭詰めで現在の他者保留中回線の回線情報を順次生めて記憶更新し、同他者保留回線テーブル６４の記憶内容に基づき保留表示をＬＣＤ２４にリスト表示するようにしたので、ＳＤＢ２のユーザは、ＬＣＤ２４のリスト表示に虫食いのような表示欠落が生じることがないため、他者保留応答ボタン４０に割り当てた他者保留中回線の回線名称の視認性を確保することができる。
【０１０６】
第２の実施の形態によれば、他者保留中回線が５個以上になったとしても、同他者保留中回線の回線情報を他者保留回線テーブル６４に順次記憶し、他者保留リスト表示ボタン５０及びスクロールボタンを使用することで、この他者保留回線テーブル６４に記憶中の他者保留中回線の回線名称を含む保留画面を順次ＬＣＤ２４に画面表示するようにしたので、ＳＤＢ２のユーザは、他者保留中回線が５個以上発生したとしても、ＬＣＤ２４にリスト表示中の保留画面を順次スクロールすることで、保留応答前に全ての他者保留中回線の回線名称を認識することができる。
【０１０７】
また、第２の実施の形態によれば、他者保留回線テーブル６４の記憶内容に基づき、ＬＣＤ２４に画面表示中の保留画面に対応付けて他者保留応答ボタン４０に他者保留中回線を順次割り当てるようにしたので、他者保留中回線が５個以上になったとしても、各他者保留中回線に保留応答することができる。
【０１０８】
尚、上記第１の実施の形態及び第２の実施の形態においては、保留中回線を検出すると、同保留中回線の回線情報が自回線テーブル６２に記憶中の回線情報に該当しないと判定され、同保留中回線の回線情報が全回線テーブル６１に記憶中の回線情報に該当すると判定され、かつ同保留中回線の回線情報が保留応答可テーブル６３に記憶中の回線情報に該当すると判定されると、保留応答可能な他者保留中回線であると判断し、同他者保留中回線の回線情報を他者保留回線テーブル６４に順次記憶するようにしたが、同保留中回線の回線情報が保留応答可テーブル６３に記憶中の回線情報に該当しなくても、保留応答可能な他者保留中回線であると判断して、同他者保留中回線の回線情報を他者保留回線テーブル６４に記憶するようにしても良いことは言うまでもない。
【産業上の利用可能性】
【０１０９】
本発明の通信端末装置は、自装置が管理する回線は勿論のこと、自装置以外の他装置が保留した回線、すなわち他者保留中回線を所定個数の保留応答ボタンに割り当てるようにしたので、同保留応答ボタンをボタン操作することで同他者保留中回線に保留応答することができる、その結果、ユーザ同士の業務の軽減を図ることができるため、例えば金融機関等の先物取引業務や為替業務等に使用するディーリグ通話システムに有用である。
【図面の簡単な説明】
【０１１０】
【図１】本発明の通信端末装置に関わる第１の実施の形態を示すディーリング通話システム内部の概略構成を示すブロック図である。
【図２】第１の実施の形態に関わるＳＤＢ内部の概略構成を示すブロック図である。
【図３】第１の実施の形態に関わるＳＤＢの盤面を示す説明図である。
【図４】第１の実施の形態に関わるＳＤＢの盤面上の保留応答ボタンを含む機能ボタンを示す説明図である。
【図５】第１の実施の形態に関わるＳＤＢの要部であるＭＰＵ及びＲＡＭ内部の概略構成を示すブロック図である。
【図６】第１の実施の形態に関わるＲＡＭ内の他者保留回線テーブルのテーブル内容を端的に示す説明図である。
【図７】第１の実施の形態に関わるＳＤＢの保留応答処理に関わるＭＰＵの処理動作を示すフローチャートである。
【図８】第１の実施の形態の保留応答処理に関わるＳＤＢの盤面上の動作を端的に示す説明図である。
【図９】第２の実施の形態に関わるＳＤＢの保留応答処理に関わるＲＡＭ内の他者保留回線テーブルのテーブル内容を端的に示す説明図である。
【図１０】第２の実施の形態に関わるＳＤＢの保留応答処理に関わるＭＰＵの処理動作を示すフローチャートである。
【符号の説明】
【０１１１】
２  ディーリング通話装置（ＳＤＢ；通信端末装置）
６  回線制御装置（構内交換機）
２４  液晶表示部（ＬＣＤ：表示手段）
４０  他者保留応答ボタン（保留応答ボタン）
６１  全回線テーブル（全回線情報記憶手段）
６２  自回線テーブル(自回線情報記憶手段)
７２  自回線情報判定部（自回線情報判定手段）
７３  全回線情報判定部（回線情報判定手段）
７５  制御部(ボタン割当手段、制御手段)
７５Ａ  ボタン割当制御部(ボタン割当手段)
７５Ｂ  表示制御部（制御手段）
【図１】
2006222523.tif 000003
【図２】
2006222523.tif 000004
【図３】
2006222523.tif 000005
【図４】
2006222523.tif 000006
【図５】
2006222523.tif 000007
【図６】
2006222523.tif 000008
【図７】
2006222523.tif 000009
【図８】
2006222523.tif 000010
【図９】
2006222523.tif 000011
【図１０】
2006222523.tif 000012